(57)【要約】  電池アセンブリは、第１プラスチックフレーム部材及び第１熱伝導性プレートを含んだ第１電池フレームアセンブリを含んでいる。前記第１プラスチックフレーム部材は、実質的に長方形のリング状の外周壁及び多数のクロス部材を含んでいる。前記電池アセンブリは、実質的に長方形のリング状の前記第１外周壁で取り囲まれている外周エッジを含んでいる第１熱伝導性プレートをさらに含んでいる。前記プレートは、外周壁内にある多数の第１チャネルを通り、前記第１熱伝導性プレートを経て外周壁内にある多数の前記第２チャネルを通過する空気と接触するように構成された露出部をさらに含んでいる。前記電池アセンブリは、前記第１熱伝導性プレートと接触するように構成された第１電池セルをさらに含んでいる。
2016526758.tif 000002
【特許請求の範囲】
【請求項１】
下記の第１プラスチックフレーム部材（ｐｌａｓｔｉｃ  ｆｒａｍｅ  ｍｅｍｂｅｒ）及び下記の第１熱伝導性プレート（ｔｈｅｒｍａｌｌｙ  ｃｏｎｄｕｃｔｉｖｅ  ｐｌａｔｅ）を含んでいる第１電池フレームアセンブリ（ｂａｔｔｅｒｙ  ｆｒａｍｅ  ａｓｓｅｍｂｌｙ）と、
実質的に長方形のリング状の第１外周壁（ｐｅｒｉｐｈｅｒａｌ  ｗａｌｌ）及び多数の第１クロス部材（ｃｒｏｓｓ−ｍｅｍｂｅｒｓ）を含んでいる第１プラスチックフレーム部材であって、実質的に長方形のリング状の前記第１外周壁は、第１中央空間（ｃｅｎｔｒａｌ  ｓｐａｃｅ）を設定する第１、第２、第３、及び第４壁部（ｗａｌｌ  ｐｏｒｔｉｏｎｓ）を有しており、多数の前記第１クロス部材は、第１及び第２壁部の間に延びており、第１中央空間を横切って延びており、また、多数の前記第１クロス部材は、前記第１中央空間内に多数の第１開放空間（ｏｐｅｎ  ｓｐａｃｅｓ）を設定しており、実質的に長方形のリング状の前記第１外周壁は、多数の前記第１開放空間に隣接する前記第１壁部内に延びた多数の第１チャネル（ｃｈａｎｎｅｌｓ）、及び多数の前記第１開放空間に隣接する前記第２壁部内に延びた多数の第２チャネルをさらに含んでいる構造の実質的に長方形のリング状の前記第１外周壁と、
実質的に長方形のリング状の前記第１外周壁で取り囲まれた外周エッジ（ｐｅｒｉｐｈｅｒａｌ  ｅｄｇｅｓ）を有している第１熱伝導性プレートであって、前記第１熱伝導性プレートから熱エネルギーを抽出するために、多数の前記第１チャネルを通り、第１熱伝導性プレートを経て多数の前記第２チャネルを通過する空気と接触するように構成された、多数の前記第１開放空間に位置する露出部（ｅｘｐｏｓｅｄ  ｐｏｒｔｉｏｎｓ）をさらに含む構造の第１熱伝導性プレートと、
前記第１熱伝導性プレートに接触するように構成された第１電池セルと、
前記第１電池セルが第１及び第２電池フレームアセンブリの間に位置するように、前記第１電池フレームアセンブリに連結されるように構成された前記第２電池フレームアセンブリと、
を含むことを特徴とする、電池アセンブリ。
【請求項２】
前記第２電池フレームアセンブリは、第２プラスチックフレーム部材及び第２熱伝導性プレートを含んでおり、前記第２熱伝導性プレートは、第２プラスチックフレーム部材で取り囲まれた外周エッジを有しており、
電池アセンブリは、第２電池セルをさらに含んでおり、前記第２電池セルは、第１及び第２電池セルが前記第１電池フレームアセンブリと第２電池フレームアセンブリとの間に位置するように、前記第２熱伝導性プレートに接触するように構成されており、前記第１プラスチックフレーム部材は前記第２プラスチックフレーム部材に連結されたことを特徴とする、請求項１に記載の電池アセンブリ。
【請求項３】
前記第１熱伝導性プレートは、第１表面（ｓｕｒｆａｃｅ）及び第２表面を有しており、前記第１熱伝導性プレートの第１表面は、多数の前記第１クロス部材に対向して位置し、前記第１熱伝導性プレートの第２表面は、前記第１電池セルに対向して位置することを特徴とする、請求項２に記載の電池アセンブリ。
【請求項４】
前記第２プラスチックフレーム部材は、実質的に長方形のリング状の第２外周壁及び多数の第２クロス部材を有しており、実質的に長方形のリング状の前記第２外周壁は、第２中央空間を設定する第１、第２、第３、及び第４壁部を有しており、多数の前記第２クロス部材は、実質的に長方形のリング状の第２外周壁の第１及び第２壁部の間に延びており、第２中央空間を横切って延びており、また、多数の前記第２クロス部材は、前記第２中央空間内に多数の第２開放空間を設定しており、実質的に長方形のリング状の第２外周壁は、多数の前記第２開放空間に隣接する第１壁部内に延びた多数の第１チャネル（ｃｈａｎｎｅｌｓ）、及び多数の前記第２開放空間に隣接する第２壁部内に延びた多数の第２チャネルをさらに含んでいることを特徴とする、請求項３に記載の電池アセンブリ。
【請求項５】
前記第２熱伝導性プレートは、実質的に長方形のリング状の前記第２外周壁で取り囲まれた外周エッジを有しており、前記第２熱伝導性プレートは、第２熱伝導性プレートから熱エネルギーを抽出するために、実質的に長方形のリング状の第２外周壁の前記第１壁部内にある多数の前記第１チャネルを通り、第２熱伝導性プレートを経て実質的に長方形のリング状の第２外周壁の前記第２壁部内にある多数の前記第２チャネルを通過する空気と接触するように構成された、多数の前記第２開放空間に位置する露出部をさらに含むことを特徴とする、請求項４に記載の電池アセンブリ。
【請求項６】
第１タブ部（ｔａｂ  ｐｏｒｔｉｏｎ）、第２タブ部、及び第１中心体（ｃｅｎｔｒａｌ  ｂｏｄｙ）を含む第１バスバー（ｂｕｓ  ｂａｒ）であって、第１バスバーの前記第１中心体が、第１バスバーの前記第１及び第２タブ部の間に位置する構造の第１バスバーと、
第１タブ部、第２タブ部、及び第１中心体を含む第２バスバーであって、第２バスバーの前記第１中心体が、第２バスバーの第１及び第２タブ部の間に位置する構造の第２バスバーと、
をさらに含んでおり、
前記第１バスバーの第１中心体は、実質的に長方形のリング状の前記第１外周壁内に配置されており、前記第１バスバーの第１タブ部は、第１方向において実質的に長方形のリング状の第１外周壁から外側に延びており、前記第１バスバーの第２タブ部は、前記第１方向に垂直な第２方向において実質的に長方形のリング状の第１外周壁から外側に延びており、前記第１バスバーの第１タブ部は、前記第１電池セルの第１電気端子に電気的に連絡されており、
前記第２バスバーの第１中心体は、実質的に長方形のリング状の前記第２外周壁内に配置されており、前記第２バスバーの第１タブ部は、第１方向において実質的に長方形のリング状の第２外周壁から外側に延びており、前記第２バスバーの第２タブ部は、前記第２方向と反対の第３方向において実質的に長方形のリング状の第２外周壁から外側に延びており、前記第２バスバーの第１タブ部は、前記第２電池セルの第２電気端子に電気的に連絡されていることを特徴とする、請求項４に記載の電池アセンブリ。
【請求項７】
第３プラスチックフレーム部材及び第３熱伝導性プレートを含んでいる第３電池フレームアセンブリと、
第４プラスチックフレーム部材で取り囲まれた外周エッジを有している第４熱伝導性プレートであって、第４プラスチックフレーム部材及び第４熱伝導性プレートを含んでいる第４電池フレームアセンブリと、
前記第３プラスチックフレーム部材が前記第１及び第４プラスチックフレーム部材の間に連結されており、前記第３熱伝導性プレートが第３電池セルと接触し、前記第４熱伝導性プレートが第４電池セルと接触するように、第３電池フレームアセンブリと第４電池フレームアセンブリとの間に位置する第３及び第４電池セルと、
を含んでおり、
前記第３プラスチックフレーム部材は、実質的に長方形のリング状の第３外周壁及び多数のクロス部材を含んでおり、実質的に長方形のリング状の前記第３外周壁は、中央空間を設定する第１、第２、第３、及び第４壁部（ｗａｌｌ  ｐｏｒｔｉｏｎｓ）を有しており、第３プラスチックフレーム部材の多数の前記クロス部材は、実質的に長方形のリング状の第３外周壁の第１及び第２壁部の間に延びており、前記中央空間を横切って延びており、また、第３プラスチックフレーム部材の多数の前記クロス部材は、実質的に長方形のリング状の第３外周壁の中央空間内に多数の開放空間を設定しており、
実質的に長方形のリング状の前記第３外周壁は、第３プラスチックフレーム部材の多数の前記クロス部材によって設定された多数の前記開放空間に隣接する第１壁部内に延びた多数の第３チャネル、及び第３プラスチックフレーム部材の多数の前記クロス部材によって設定された多数の前記開放空間に隣接する第２壁部内に延びた多数の第４チャネルをさらに含んでおり、
前記第３熱伝導性プレートは、実質的に長方形のリング状の前記第３外周壁で取り囲まれた外周エッジを有していることを特徴とする、請求項４に記載の電池アセンブリ。
【請求項８】
多数の前記第１チャネルの各チャネルが、多数の前記第３チャネルのそれぞれのチャネルに隣接するように位置し、多数の前記第２チャネルの各チャネルが、多数の前記第４チャネルのそれぞれのチャネルに隣接するように位置し、多数の第１チャネルのうちの１つのチャネル、多数の第２チャネルのうちの１つのチャネル、多数の第３チャネルのうちのチャネル及び多数の第４チャネルのうちのチャネルのそれぞれの組み合わせが流路（ｆｌｏｗ  ｐａｔｈ）を設定することを特徴とする、請求項７に記載の電池アセンブリ。
【請求項９】
前記第１及び第２プラスチックフレーム部材は、第１及び第２電池セルのそれぞれの第１及び第２電気端子のそれぞれが、第１及び第２チャネルによって形成された開口（ａｐｅｒｔｕｒｅ）を通して延びるように、互いに隣接して位置するそれぞれの第１及び第２プラスチックフレーム部材内に延びている第１及び第２チャネルを有することを特徴とする、請求項２に記載の電池アセンブリ。
【請求項１０】
実質的に長方形のリング状の前記第１外周壁の前記第１壁部及び第２壁部が実質的に互いに平行であり、実質的に長方形のリング状の第１外周壁の前記第３壁部及び第４壁部が、実質的に互いに平行であり、第１及び第２壁部に実質的に垂直であることを特徴とする、請求項１に記載の電池アセンブリ。
【請求項１１】
第１タブ部、第２タブ部、及び第１中心体を含んでいる第１バスバーであって、前記第１中心体が前記第１タブ部と第２タブ部との間に位置する構造の第１バスバーをさらに含んでおり、
前記第１中心体は、第１壁部と第３壁部との間に配置されており、前記第１タブ部は、第１壁部から外側に延びており、前記第２タブ部は、第１壁部から外側に延びており、前記第１タブ部は、前記第１電池セルの第１電気端子に電気的に連絡されていることを特徴とする、請求項１に記載の電池アセンブリ。
【請求項１２】
第１電流感知リード（ｃｕｒｒｅｎｔ  ｓｅｎｓｅ  ｌｅａｄ）、第２電流感知リード、及び中心体を含んでいる第１電流感知部材（ｃｕｒｒｅｎｔ  ｓｅｎｓｅ  ｍｅｍｂｅｒ）であって、前記第１電流感知部材の中心体が、前記第１電流感知リードと第２電流感知リードとの間に位置する構造の第１電流感知部材をさらに含んでおり、
前記第１電流感知部材の中心体は、前記第１及び第４壁部内に配置されており、前記第１電流感知リードは、第１壁部から外側に延びており、前記第２電流感知リードは、第４壁部から外側に延びていることを特徴とする、請求項１に記載の電池アセンブリ。
【発明の詳細な説明】
【技術分野】
【０００１】
本発明は、電池アセンブリに関する。
【背景技術】
【０００２】
近年、充放電可能な二次電池は、化石燃料を使用する既存のガソリン車両、ディーゼル車両などの大気汚染などを解決するための方案として提示されている電気自動車（ＥＶ）、ハイブリッド電気自動車（ＨＥＶ）などの動力源としても注目されている。
【０００３】
自動車などのような中大型デバイスには、高出力大容量の必要性により、多数の電池セルを電気的に連絡した中大型電池モジュールが使用されており、中大型電池モジュールは、可能な限り小さい大きさ及び重量で製造されることが好ましいので、高い集積度で充積することができ、容量に比べて重量の小さい角形電池、パウチ型電池などが中大型電池モジュールの電池セルとして主に用いられている。特に、アルミニウムラミネートシートなどを外装部材として用いるパウチ型電池は、重量が小さく、製造コストが低く、形態の変形が容易であるという利点により、最近多くの関心を集めている。
【０００４】
中大型電池モジュールが、所定の装置ないしデバイスで要求される出力及び容量を提供するためには、多数の電池セルを直列方式で電気的に連絡しなければならず、外力に対して安定した構造を維持できなければならない。
【０００５】
したがって、多数の電池セルを用いて中大型電池モジュールを構成する場合、これらの機械的締結及び電気的接続のために一般的に多くの部材が必要であるため、このような部材を組み立てる過程は非常に複雑である。さらに、機械的締結及び電気的接続のための多数の部材の結合、溶接、ソルダリングなどのための空間が要求され、それによって、システム全体の大きさが大きくなる。このような大きさの増加は、中大型電池モジュールが装着される装置ないしデバイスの空間上の限界の面で好ましくない。なお、車両などのように限定された内部空間に効率的に装着されるためには、よりコンパクトな構造の中大型電池モジュールが要求される。
【０００６】
また、中大型電池モジュールを構成する電池セルは、充放電可能な二次電池で構成されているので、作動過程で必然的に多くの熱が発生し、このような熱が効率的に除去されないと、電池セルの劣化を促進し、場合によっては、発火または爆発の危険性も存在する。したがって、電池セルの放熱が効率的に行われなければならないので、流路の確保が必要であり、このような流路は、電池モジュールの大きさの増加を誘発する要因の一つである。
【０００７】
したがって、本出願の発明者らは、製造が容易で且つ向上した熱放散構造を有する、改善された電池アセンブリに対する必要性を認識してきた。
【発明の概要】
【発明が解決しようとする課題】
【０００８】
本発明は、過去から要請されてきた技術的課題を解決することを目的とする。
【０００９】
本発明の目的は、熱伝導性プレート（ｔｈｅｒｍａｌｌｙ  ｃｏｎｄｕｃｔｉｖｅ  ｐｌａｔｅ）内の外周エッジ（ｐｅｒｉｐｈｅｒａｌ  ｅｄｇｅｓ）を少なくとも部分的に取り囲むプラスチックフレーム部材（ｐｌａｓｔｉｃ  ｆｒａｍｅ  ｍｅｍｂｅｒ）を含んでいる電池フレームアセンブリ（ｂａｔｔｅｒｙ  ｆｒａｍｅ  ａｓｓｅｍｂｌｙ）を用いて、製造が容易であり、向上した熱放散構造を有する電池アセンブリを提供するものである。
【課題を解決するための手段】
【００１０】
本発明は、例示的な実施例に係る電池アセンブリを提供する。前記電池アセンブリは、第１プラスチックフレーム部材及び第１熱伝導性プレートを含んだ第１電池フレームアセンブリを含んでいる。前記第１プラスチックフレーム部材は、実質的に長方形のリング状の第１外周壁（ｐｅｒｉｐｈｅｒａｌ  ｗａｌｌ）及び多数の第１クロス部材（ｃｒｏｓｓ−ｍｅｍｂｅｒｓ）を含んでいる。実質的に長方形のリング状の前記第１外周壁は、第１中央空間（ｃｅｎｔｒａｌ  ｓｐａｃｅ）を設定する第１、第２、第３、及び第４壁部（ｗａｌｌ  ｐｏｒｔｉｏｎｓ）を有している。多数の前記第１クロス部材は、第１及び第２壁部の間に延びており、第１中央空間を横切って延びている。多数の前記第１クロス部材は、前記第１中央空間内に多数の第１開放空間（ｏｐｅｎ  ｓｐａｃｅｓ）を設定している。実質的に長方形のリング状の前記第１外周壁は、多数の前記第１開放空間に隣接する前記第１壁部内に延びた多数の第１チャネル（ｃｈａｎｎｅｌｓ）、及び多数の前記第１開放空間に隣接する前記第２壁部内に延びた多数の第２チャネルをさらに含んでいる。前記第１熱伝導性プレートは、前記実質的に長方形のリング状の第１外周壁で取り囲まれた外周エッジを有している。前記第１熱伝導性プレートは、前記第１熱伝導性プレートから熱エネルギーを抽出するために、多数の前記第１チャネルを通り、第１熱伝導性プレートを経て多数の前記第２チャネルを通過する空気と接触するように構成された、多数の前記第１開放空間に位置する露出部（ｅｘｐｏｓｅｄ  ｐｏｒｔｉｏｎｓ）をさらに含んでいる。前記電池アセンブリは、第１熱伝導性プレートに接触するように構成された第１電池セルをさらに含んでいる。前記電池アセンブリは、前記第１電池セルが第１及び第２電池フレームアセンブリの間に位置するように、前記第１電池フレームアセンブリに連結されるように構成された前記第２電池フレームアセンブリをさらに含んでいる。
【図面の簡単な説明】
【００１１】
【図１】本発明の例示的な実施例に係る電池アセンブリの模式図である。
【図２】図１の電池アセンブリの側面図である。
【図３】図１の電池アセンブリの第１プラスチックフレーム部材、第２プラスチックフレーム部材、第１電池セル、及び第２電池セルの拡大図である。
【図４】図１の電池アセンブリの第３プラスチックフレーム部材、第４プラスチックフレーム部材、第３電池セル、及び第４電池セルの拡大図である。
【図５】図１の電池アセンブリにおいて用いられる第１プラスチックフレーム部材の第１側での模式図である。
【図６】図５の第１プラスチックフレーム部材の第２側での模式図である。
【図７】図５の第１プラスチックフレーム部材の側面図である。
【図８】図５の第１プラスチックフレーム部材の背面図である。
【図９】図５の第１プラスチックフレーム部材及び電池セルの断面図である。
【図１０】図５の第１プラスチックフレーム部材及び電池セルの他の断面図である。
【図１１】図５の第１プラスチックフレーム部材内に部分的に取り囲まれるバスバー（ｂｕｓ  ｂａｒ）の模式図である。
【図１２】図１の電池アセンブリにおいて用いられる第２プラスチックフレーム部材の第１側での模式図である。
【図１３】図１２の第２プラスチックフレーム部材の第２側での模式図である。
【図１４】図１２の第２プラスチックフレーム部材の側面図である。
【図１５】図１２の第２プラスチックフレーム部材の背面図である。
【図１６】図１２の第２プラスチックフレーム部材及び電池セルの断面図である。
【図１７】図１２の第２プラスチックフレーム部材及び電池セルの他の断面図である。
【図１８】図１２の第２プラスチックフレーム部材内に部分的に取り囲まれる電流感知部材の模式図である。
【図１９】図１の電池アセンブリにおいて用いられる第３プラスチックフレーム部材の第１側での模式図である。
【図２０】図１９の第３プラスチックフレーム部材の第２側での模式図である。
【図２１】図１９の第３プラスチックフレーム部材の側面図である。
【図２２】図１９の第３プラスチックフレーム部材の背面図である。
【図２３】図１９の第３プラスチックフレーム部材及び電池セルの断面図である。
【図２４】図１９の第３プラスチックフレーム部材及び電池セルの他の断面図である。
【図２５】図１の電池アセンブリにおいて用いられる第４プラスチックフレーム部材の第１側での模式図である。
【図２６】図２５の第４プラスチックフレーム部材の第２側での模式図である。
【図２７】図２５の第４プラスチックフレーム部材の側面図である。
【図２８】図２５の第４プラスチックフレーム部材の背面図である。
【図２９】図２５の第４プラスチックフレーム部材及び電池セルの断面図である。
【図３０】図２５の第４プラスチックフレーム部材及び電池セルの他の断面図である。
【発明を実施するための形態】
【００１２】
図１乃至図４を参照すると、例示的な実施例に係る電池アセンブリ１０が提供されている。電池アセンブリ１０は、電池フレームアセンブリ２０，２２、電池セル３０，３２、電池フレームアセンブリ４０，４２、及び電池セル５０，５２を含んでいる。電池アセンブリ１０の利点は、電池アセンブリ１０が、熱伝導性プレート内の外周壁を少なくとも部分的に取り囲むプラスチックフレーム部材を含んでいる電池フレームアセンブリを用いるという点である。結果的に、電池アセンブリ１０は、他のアセンブリよりも容易に製造され、熱伝導性プレートに対向して位置した電池セルを効果的に冷却させる。
【００１３】
電池フレームアセンブリ２０，２２は、電池セル３０，３２のそれぞれを固定し、これらを共に連結するように構成されている。
【００１４】
図５乃至図１１を参照すると、電池フレームアセンブリ２０は、プラスチックフレーム部材６０、熱伝導性プレート６２、及びバスバー６４を含んでいる。プラスチックフレーム部材６０は、実質的に長方形のリング状の外周壁７０及び多数のクロス部材７２を含んでいる。実質的に長方形のリング状の外周壁７０は、第１側面８０及び第２側面８２を含んでいる。外周壁７０は、その間に中央空間９４を設定する第１、第２、第３、及び第４壁部８４，８６，８８，９０をさらに含んでいる。第１壁部８４は、第２壁部８６と実質的に平行である。第３壁部８８は、第４壁部９０と実質的に平行であり、第１及び第２壁部８４，８６に実質的に垂直である。
【００１５】
多数のクロス部材７２は、第１及び第２壁部８４，８６の間に延びており、中央空間９４を横切って延びている。多数のクロス部材７２はクロス部材１５０，１５２，１５４，１５６，１５８を含んでいる。多数のクロス部材７２は、中央空間９４内に多数の開放空間を設定している。具体的に、多数のクロス部材７２は、それらの間に開放空間１６０，１６２，１６４，１６６，１６８，１７０を設定している。
【００１６】
第１壁部８４は、第１側面８０から第１壁部８４内に延びた多数の第１チャネル１００を含んでいる。具体的に、多数の第１チャネル１００は、それぞれ開放空間１６０，１６２，１６４，１６６，１６８，１７０と流動的に連結されており、第１側面８０から隣接する第１壁部８４内に延びたチャネル１０２，１０４，１０６，１０８，１１０，１１２を含んでいる。
【００１７】
第２壁部８６は、第１側面８０から第２壁部８６内に延びた多数の第２チャネル１２０を含んでいる。具体的に、多数の第２チャネル１２０は、それぞれ開放空間１６０，１６２，１６４，１６６，１６８，１７０と流動的に連結されており、第１側面８０から隣接する第２壁部８６内に延びたチャネル１２２，１２４，１２６，１２８，１３０，１３２を含んでいる。
【００１８】
図３、図９及び図１０を参照すると、熱伝導性プレート６２は、電池セル３０を冷却させるために、熱伝導性プレート６２に対向して位置する電池セル３０から熱エネルギーを抽出するように構成されている。熱伝導性プレート６２は、さらに、電池アセンブリ１０から出る、熱伝導性プレート６２に接触して流れる空気に熱エネルギーを伝達するように構成されている。一つの例示的な実施例において、熱伝導性プレート６２は鉄で構成されている。更に他の例示的な実施例において、熱伝導性プレート６２は、例えば、銅、アルミニウムまたはステンレス鋼（ｓｔａｉｎｌｅｓｓ  ｓｔｅｅｌ）のような他の熱伝導性物質によって構成されてもよい。熱伝導性プレート６２は、第１側面１７６、第２側面１７８、及び外周エッジ１８０，１８２，１８４，１８６を含んでいる。
【００１９】
外周エッジ１８０，１８２，１８４，１８６は、実質的に長方形のリング状の外周壁７０で取り囲まれている。具体的に、図９を参照すると、外周エッジ１８０は第３壁部８８で取り囲まれており、外周エッジ１８２は第４壁部９０で取り囲まれている。また、図１０を参照すると、外周エッジ１８４は第１壁部８４で取り囲まれており、外周エッジ１８６は第２壁部８６で取り囲まれている。
【００２０】
図５及び図９を参照すると、熱伝導性プレート６２は、それぞれの開放空間１６０，１６２，１６４，１６６，１６８，１７０に位置しており、熱伝導性プレート６２から熱エネルギーを抽出するために、それぞれのチャネル１０２，１０４，１０６，１０８，１１０，１１２を通り、熱伝導性プレートを経てそれぞれのチャネル１２２，１２４，１２６，１２８，１３０，１３２を通過する空気と接触するように構成された露出部１９０，１９１，１９２，１９３，１９４，１９５をさらに含んでいる。
【００２１】
図１、図３、図５、及び図１１を参照すると、バスバー６４は、電池セル３０の電気端子４１４に電気的に連絡されている。バスバー６４は、タブ部１９８、タブ部２００、及び中心体２０２を含んでいる。中心体２０２は、タブ部１９８，２００の間に位置している。中心体２０２は、第１及び第３壁部８４，８８内に配置されている。タブ部１９８は、第３壁部８８から外側に延びており、電池セル３０の電気端子４１４に電気的に連絡されている。タブ部２００は、第１壁部８４から外側に延びており、電池フレームアセンブリ４０内のバスバー４６４に溶接されるように構成されている。
【００２２】
図１２乃至図１７を参照すると、電池フレームアセンブリ２２は、プラスチックフレーム部材２６０、熱伝導性プレート２６２、及びバスバー２６４を含んでいる。プラスチックフレーム部材２６０は、実質的に長方形のリング状の外周壁２７０及び多数のクロス部材２７２を含んでいる。実質的に長方形状の外周壁２７０は第１側面２８０及び第２側面２８２を含んでいる。外周壁２７０は、その間に中央空間２９４を設定する第１、第２、第３、及び第４壁部２８４，２８６，２８８，２９０をさらに含んでいる。第１壁部２８４は、第２壁部２８６と実質的に平行である。第３壁部２８８は、第４壁部２９０と実質的に平行であり、第１及び第２壁部２８４，２８６と実質的に垂直である。
【００２３】
多数のクロス部材２７２は、第１及び第２壁部２８４，２８６の間に延びており、中央空間２９４を横切って延びている。多数のクロス部材２７２はクロス部材３５０，３５２，３５４，３５６，３５８を含んでいる。多数のクロス部材２７２は、中央空間２９４内に多数の開放空間を設定している。具体的に、多数のクロス部材２７２は、それらの間に開放空間３６０，３６２，３６４，３６６，３６８，３７０を設定している。
【００２４】
第１壁部２８４は、第１側面２８０から第１壁部２８４内に延びた多数の第１チャネル３００を含んでいる。具体的に、多数の第１チャネル３００は、それぞれ開放空間３６０，３６２，３６４，３６６，３６８，３７０と流動的に連結されており、第１側面２８０から隣接する第１壁部２８４内に延びたチャネル３０２，３０４，３０６，３０８，３１０，３１２を含んでいる。
【００２５】
第２壁部２８６は、第１側面２８０から第２壁部２８６内に延びた多数の第２チャネル３２０を含んでいる。具体的に、多数の第２チャネル３２０は、それぞれ開放空間３６０，３６２，３６４，３６６，３６８，３７０と流動的に連結されており、第１側面２８０から隣接する第２壁部２８６内に延びたチャネル３２２，３２４，３２６，３２８，３３０，３３２を含んでいる。
【００２６】
図３、図１６及び図１７を参照すると、熱伝導性プレート２６２は、電池セル３２を冷却させるために、熱伝導性プレート２６２に対向して位置する電池セル３２から熱エネルギーを抽出するように構成されている。熱伝導性プレート２６２は、さらに、電池アセンブリ１０から出る、熱伝導性プレート２６２に接触して流れる空気に熱エネルギーを伝達するように構成されている。一つの例示的な実施例において、熱伝導性プレート２６２は鉄で構成されている。更に他の実施例において、熱伝導性プレート２６２は、例えば、銅、アルミニウムまたはステンレス鋼のような他の熱伝導性物質によって構成されてもよい。熱伝導性プレート２６２は、第１側面３７６、第２側面３７８、及び外周エッジ３８０，３８２，３８４，３８６を含んでいる。
【００２７】
外周エッジ３８０，３８２，３８４，３８６は、実質的に長方形のリング状の外周壁２７０で取り囲まれている。具体的に、図１６を参照すると、外周エッジ３８０は第３壁部２８８で取り囲まれており、外周エッジ３８２は第４壁部２９０で取り囲まれている。また、図１７を参照すると、外周エッジ３８４は第１壁部２８４で取り囲まれており、外周エッジ３８６は第２壁部２８６で取り囲まれている。
【００２８】
図１２及び図１６を参照すると、熱伝導性プレート２６２は、それぞれの開放空間３６０，３６２，３６４，３６６，３６８，３７０に位置しており、熱伝導性プレート２６２から熱エネルギーを抽出するために、それぞれのチャネル３０２，３０４，３０６，３０８，３１０，３１２を通り、熱伝導性プレートを経てそれぞれのチャネル３２２，３２４，３２６，３２８，３３０，３３２を通過する空気と接触するように構成された露出部３９０，３９１，３９２，３９３，３９４，３９５をさらに含んでいる。
【００２９】
図３及び図１２を参照すると、バスバー２６４は、電池セル３２の電気端子４２４に電気的に連絡されている。バスバー２６４は、上述したバスバー６４の構造と同一の構造を有している。バスバー２６４のタブ部は、他の電池フレームアセンブリ内の他のバスバー（図示せず）に溶接されるように構成されている。
【００３０】
図３及び図１８を参照すると、電流感知部材２６６は、電池セル３２の電気端子４２６に電気的に連絡されている。電流感知部材２６６は、電流感知リード３９６、中心体３９８、及び電流感知リード４００を含んでいる。中心体３９８は、電流感知リード３９６，４００の間に位置している。中心体３９８は第１及び第４壁部２８４，２９０内に配置されている。電流感知リード４００は、第４壁部２９０から外側に延びており、電池セル３２の電気端子４２６に電気的に連絡されている。また、電流感知リード３９６は、第１壁部２８４から外側に延びており、他の電流感知リード（図示せず）に溶接されるように構成されている。
【００３１】
図３及び図６を参照すると、電池セル３０は、プラスチックフレーム部材６０の実質的に長方形のリング構造の外周壁７０の第２側面８２に対向して配置されている。電池セル３０は、ボディー部（ｂｏｄｙ  ｐｏｒｔｉｏｎ）４１０、外周リップ部（ｐｅｒｉｐｈｅｒａｌ  ｌｉｐ  ｐｏｒｔｉｏｎ）４１２、及び電気端子４１４，４１６を含む。外周リップ部４１２は、ボディー部４１０の周りに延びている。電気端子４１４は、外周リップ部４１２の第１末端（ｅｎｄ）から外側に延びており、ボディー部４１０内の能動素子（ａｃｔｉｖｅ  ｅｌｅｍｅｎｔ）に電気的に連絡されている。電気端子４１４は、さらに、それぞれの電池フレームアセンブリ２０，２２内に形成された隣接するチャネル１４０，３４０によって形成された開口を通して延びている。電気端子４１６は、外周リップ部４１２の第２末端から外側に延びており、ボディー部４１０内の能動素子に電気的に連絡されている。電気端子４１６は、さらに、それぞれの電池フレームアセンブリ２０，２２内に形成された隣接するチャネルによって形成された開口を通して延びている。電気端子４１４は、バスバー６４に電気的に連絡されている。電気端子４１６は、電池セル３２の電気端子４２６に電気的に連絡されている。作動中には、電池セル３０は、電気端子４１４，４１６の間に電圧を形成する。また、作動中には、ボディー部４１０は、電池セル３０を冷却させるために、電池セル３０のボディー部４１０から熱エネルギーを抽出する熱伝導性プレート６２に接触する。一つの例示的な実施例において、電池セル３０は、リチウムイオンパウチタイプ（ｌｉｔｈｉｕｍ−ｉｏｎ  ｐｏｕｃｈ−ｔｙｐｅ）の電池セルである。もちろん、更に他の実施例において、電池セル３０は、例えば、ニッケル金属水酸化物（ｎｉｃｋｅｌ  ｍｅｔａｌ  ｈｙｄｒｉｄｅ）電池セルのような他のタイプの電池セルであってもよい。
【００３２】
図３及び図１３を参照すると、電池セル３２は、プラスチックフレーム部材２６０の実質的に長方形のリング構造の外周壁２７０の第２側面２８２に対向して配置されている。電池セル３２は、ボディー部４２０、外周リップ部４２２、及び電気端子４２４，４２６を含む。外周リップ部４２２は、ボディー部４２０の周りに延びている。電気端子４２４は、外周リップ部４２２の第１末端から外側に延びており、ボディー部４２０内の能動素子に電気的に連絡されている。電気端子４２４は、さらに、それぞれの電池フレームアセンブリ２０，２２内に形成された隣接するチャネル１４０，３４０によって形成された開口を通して延びている。電気端子４２６は、外周リップ部４２２の第２末端から外側に延びており、ボディー部４２０内の能動素子に電気的に連絡されている。電気端子４２６は、さらに、それぞれの電池フレームアセンブリ２０，２２内に形成された隣接するチャネルによって形成された開口を通して延びている。電気端子４２４は、バスバー２６４に電気的に連絡されている。電気端子４２６は、電池セル３０の電気端子４１６に電気的に連絡されている。作動中には、電池セル３２は、電気端子４２４，４２６の間に電圧を形成する。また、作動中には、ボディー部４２０は、電池セル３２を冷却させるために、電池セル３２のボディー部４２０から熱エネルギーを抽出する熱伝導性プレート２６２に接触する。一つの例示的な実施例において、電池セル３２は、リチウムイオンパウチタイプの電池セルである。もちろん、更に他の実施例において、電池セル３２は、例えば、ニッケル金属水酸化物電池セルのような他のタイプの電池セルであってもよい。
【００３３】
電池フレームアセンブリ４０，４２は、電池セル５０，５２のそれぞれを固定し、これらを共に連結するように構成されている。
【００３４】
図４及び図１９乃至図２４を参照すると、電池フレームアセンブリ４０は、プラスチックフレーム部材４６０、熱伝導性プレート４６２、及びバスバー４６４を含んでいる。プラスチックフレーム部材４６０は、実質的に長方形のリング状の外周壁４７０及び多数のクロス部材４７２を含んでいる。実質的に長方形のリング状の外周壁４７０は、第１側面４８０及び第２側面４８２を含んでいる。外周壁４７０は、その間に中央空間４９４を設定する第１、第２、第３、及び第４壁部４８４，４８６，４８８，４９０をさらに含んでいる。第１壁部４８４は、第２壁部４８６と実質的に平行である。第３壁部４８８は、第４壁部４９０と実質的に平行であり、第１及び第２壁部４８４，４８６に実質的に垂直である。
【００３５】
多数のクロス部材４７２は、第１及び第２壁部４８４，４８６の間に延びており、中央空間４９４を横切って延びている。多数のクロス部材４７２はクロス部材５５０，５５２，５５４，５５６，５５８を含んでいる。多数のクロス部材４７２は、中央空間４９４内に多数の開放空間を設定している。具体的に、多数のクロス部材４７２は、それらの間に開放空間５６０，５６２，５６４，５６６，５６８，５７０を設定している。
【００３６】
第１壁部４８４は、第１側面４８０から第１壁部４８４内に延びた多数の第１チャネル５００を含んでいる。具体的に、多数の第１チャネル５００は、それぞれ開放空間５６０，５６２，５６４，５６６，５６８，５７０と流動的に連結されており、第１側面４８０から隣接する第１壁部４８４内に延びたチャネル５０２，５０４，５０６，５０８，５１０，５１２を含んでいる。
【００３７】
第２壁部４８６は、第１側面４８０から第２壁部４８６内に延びた多数の第２チャネル５２０を含んでいる。具体的に、多数の第２チャネル５２０は、それぞれ開放空間５６０，５６２，５６４，５６６，５６８，５７０と流動的に連結されており、第１側面４８０から隣接する第２壁部４８６内に延びたチャネル５２２，５２４，５２６，５２８，５３０，５３２を含んでいる。
【００３８】
図４、図２３及び図２４を参照すると、熱伝導性プレート４６２は、電池セル５０を冷却させるために、熱伝導性プレート４６２に対向して位置する電池セル５０から熱エネルギーを抽出するように構成されている。熱伝導性プレート４６２は、さらに、電池アセンブリ１０から出る、熱伝導性プレート４６２に接触して流れる空気に熱エネルギーを伝達するように構成されている。一つの例示的な実施例において、熱伝導性プレート４６２は鉄で構成されている。更に他の実施例において、熱伝導性プレート４６２は、例えば、銅、アルミニウムまたはステンレス鋼のような他の熱伝導性物質によって構成されてもよい。熱伝導性プレート４６２は、第１側面５７６、第２側面５７８、及び外周エッジ５８０，５８２，５８４，５８６を含んでいる。
【００３９】
外周エッジ５８０，５８２，５８４，５８６は、実質的に長方形のリング状の外周壁４７０で取り囲まれている。具体的に、図２３を参照すると、外周エッジ５８０は第３壁部４８８で取り囲まれており、外周エッジ５８２は第４壁部４９０で取り囲まれている。また、図２４を参照すると、外周エッジ５８４は第１壁部４８４で取り囲まれており、外周エッジ５８６は第２壁部４８６で取り囲まれている。
【００４０】
図１９及び図２３を参照すると、熱伝導性プレート４６２は、それぞれの開放空間５６０，５６２，５６４，５６６，５６８，５７０に位置しており、熱伝導性プレート４６２から熱エネルギーを抽出するために、それぞれのチャネル５０２，５０４，５０６，５０８，５１０，５１２を通り、熱伝導性プレート４６２を経てそれぞれのチャネル５２２，５２４，５２６，５２８，５３０，５３２を通過する空気と接触するように構成された露出部５９０，５９１，５９２，５９３，５９４，５９５をさらに含んでいる。
【００４１】
図１、図４及び図１９を参照すると、バスバー４６４は、電池セル５０の電気端子８１４に電気的に連絡されている。バスバー４６４は、上述したバスバー６４の構造と同一の構造を有している。バスバー４６４のタブ部は、電池フレームアセンブリ２０内のバスバー６４に溶接されるように構成されている。
【００４２】
図４を参照すると、電流感知部材４６６は、電池セル５０の電気端子８１６に電気的に連絡されている。電流感知部材４６６の構造は、上述した電流感知部材２６６の構造と同一である。
【００４３】
図１、図２、図４、及び図５を参照すると、電池フレームアセンブリ２０，４０は、熱伝導性プレート６２，４６２から熱エネルギーを抽出するために、流路を通して流れる空気を受け入れる流路６００，６０２，６０４，６０６，６０８，６１０を設定する。
【００４４】
流路６００は、チャネル１０２、開放空間１６０内の露出部１９０、電池フレームアセンブリ２０のチャネル１２２によって設定される。流路６００は、さらに、チャネル５０２、開放空間５６０内の露出部５９０、電池フレームアセンブリ４０のチャネル５２２によって設定される。
【００４５】
流路６０２は、チャネル１０４、開放空間１６２内の露出部１９１、電池フレームアセンブリ２０のチャネル１２４によって設定される。流路６０２は、さらに、チャネル５０４、開放空間５６２内の露出部５９１、電池フレームアセンブリ４０のチャネル５２４によって設定される。
【００４６】
流路６０４は、チャネル１０６、開放空間１６４内の露出部１９２、電池フレームアセンブリ２０のチャネル１２６によって設定される。流路６０４は、さらに、チャネル５０６、開放空間５６４内の露出部５９２、電池フレームアセンブリ４０のチャネル５２６によって設定される。
【００４７】
流路６０６は、チャネル１０８、開放空間１６６内の露出部１９３、電池フレームアセンブリ２０のチャネル１２８によって設定される。流路６０６は、さらに、チャネル５０８、開放空間５６６内の露出部５９３、電池フレームアセンブリ４０のチャネル５２８によって設定される。
【００４８】
流路６０８は、チャネル１１０、開放空間１６８内の露出部１９４、電池フレームアセンブリ２０のチャネル１３０によって設定される。流路６０８は、さらに、チャネル５１０、開放空間５６８内の露出部５９４、電池フレームアセンブリ４０のチャネル５３０によって設定される。
【００４９】
流路６１０は、チャネル１１２、開放空間１７０内の露出部１９５、電池フレームアセンブリ２０のチャネル１３２によって設定される。流路６１０は、さらに、チャネル５１２、開放空間５７０内の露出部５９５、電池フレームアセンブリ４０のチャネル５３２によって設定される。
【００５０】
図１、図４及び図２５乃至図３０を参照すると、電池フレームアセンブリ４２は、プラスチックフレーム部材６６０、熱伝導性プレート６６２、及びバスバー６６４を含んでいる。プラスチックフレーム部材６６０は、実質的に長方形のリング状の外周壁６７０及び多数のクロス部材６７２を含んでいる。実質的に長方形状の外周壁６７０は第１側面６８０及び第２側面６８２を含んでいる。外周壁６７０は、その間に中央空間６９４を設定する第１、第２、第３、及び第４壁部６８４，６８６，６８８，６９０をさらに含んでいる。第１壁部６８４は、第２壁部６８６と実質的に平行である。第３壁部６８８は、第４壁部６９０と実質的に平行であり、第１及び第２壁部６８４，６８６と実質的に垂直である。
【００５１】
多数のクロス部材６７２は、第１及び第２壁部６８４，６８６の間に延びており、中央空間６９４を横切って延びている。多数のクロス部材６７２はクロス部材７５０，７５２，７５４，７５６，７５８を含んでいる。多数のクロス部材６７２は、中央空間６９４内に多数の開放空間を設定している。具体的に、多数のクロス部材６７２は、それらの間に開放空間７６０，７６２，７６４，７６６，７６８，７７０を設定している。
【００５２】
第１壁部６８４は、第１側面６８０から第１壁部６８４内に延びた多数の第１チャネル７００を含んでいる。具体的に、多数の第１チャネル７００は、それぞれ開放空間７６０，７６２，７６４，７６６，７６８，７７０と流動的に連結されており、第１側面６８０から隣接する第１壁部６８４内に延びたチャネル７０２，７０４，７０６，７０８，７１０，７１２を含んでいる。
【００５３】
第２壁部６８６は、第１側面６８０から第２壁部６８６内に延びた多数の第２チャネル７２０を含んでいる。具体的に、多数の第２チャネル７２０は、それぞれ開放空間７６０，７６２，７６４，７６６，７６８，７７０と流動的に連結されており、第１側面６８０から隣接する第２壁部６８６内に延びたチャネル７２２，７２４，７２６，７２８，７３０，７３２を含んでいる。
【００５４】
図４、図２９及び図３０を参照すると、熱伝導性プレート６６２は、電池セル５２を冷却させるために、熱伝導性プレート６６２に対向して位置する電池セル５２から熱エネルギーを抽出するように構成されている。熱伝導性プレート６６２は、さらに、電池アセンブリ１０から出る、熱伝導性プレート６６２に接触して流れる空気に熱エネルギーを伝達するように構成されている。一つの例示的な実施例において、熱伝導性プレート６６２は鉄で構成されている。更に他の実施例において、熱伝導性プレート６６２は、例えば、銅、アルミニウムまたはステンレス鋼のような他の熱伝導性物質によって構成されてもよい。熱伝導性プレート６６２は、第１側面７７６、第２側面７７８、及び外周エッジ７８０，７８２，７８４，７８６を含んでいる。
【００５５】
外周エッジ７８０，７８２，７８４，７８６は、実質的に長方形のリング状の外周壁６７０で取り囲まれている。具体的に、図２９を参照すると、外周エッジ７８０は第３壁部６８８で取り囲まれており、外周エッジ７８２は第４壁部６９０で取り囲まれている。また、図３０を参照すると、外周エッジ７８４は第１壁部６８４で取り囲まれており、外周エッジ７８６は第２壁部６８６で取り囲まれている。
【００５６】
図２５及び図２９を参照すると、熱伝導性プレート６６２は、それぞれの開放空間７６０，７６２，７６４，７６６，７６８，７７０に位置しており、熱伝導性プレート６６２から熱エネルギーを抽出するために、それぞれのチャネル７０２，７０４，７０６，７０８，７１０，７１２を通り、熱伝導性プレート６６２を経てそれぞれのチャネル７２２，７２４，７２６，７２８，７３０，７３２を通過する空気と接触するように構成された露出部７９０，７９１，７９２，７９３，７９４，７９５をさらに含んでいる。
【００５７】
図１及び図４を参照すると、バスバー６６４は、電池セル５２の電気端子８２４に電気的に連絡されている。バスバー６６４は、上述したバスバー６４の構造と同一の構造を有している。バスバー６６４のタブ部は、他の電池フレームアセンブリ内の他のバスバーに溶接されるように構成されている。
【００５８】
図４及び図２０を参照すると、電池セル５０は、プラスチックフレーム部材４６０の実質的に長方形のリング構造の外周壁４７０の第２側面４８２に対向して配置されている。電池セル５０は、ボディー部８１０、外周リップ部８１２、及び電気端子８１４，８１６を含む。外周リップ部８１２は、ボディー部８１０の周りに延びている。電気端子８１４は、外周リップ部８１２の第１末端から外側に延びており、ボディー部８１０内の能動素子に電気的に連絡されている。電気端子８１４は、さらに、それぞれの電池フレームアセンブリ４０，４２内に形成された隣接するチャネル５４０，７４０によって形成された開口を通して延びている。電気端子８１６は、外周リップ部８１２の第２末端から外側に延びており、ボディー部８１０内の能動素子に電気的に連絡されている。電気端子８１６は、さらに、それぞれの電池フレームアセンブリ４０，４２内に形成された隣接するチャネルによって形成された開口を通して延びている。電気端子８１４は、バスバー４６４に電気的に連絡されている。電気端子８１６は、電池セル５２の電気端子８２６に電気的に連絡されている。作動中には、電池セル５０は、電気端子８１４，８１６の間に電圧を形成する。また、作動中には、ボディー部８１０は、電池セル５０を冷却させるために、電池セル５０のボディー部８１０から熱エネルギーを抽出するプレート４６２に接触する。一つの例示的な実施例において、電池セル５０は、リチウムイオンパウチタイプの電池セルである。もちろん、更に他の実施例において、電池セル５０は、例えば、ニッケル金属水酸化物電池セルのような他のタイプの電池セルであってもよい。
【００５９】
図４及び図２６を参照すると、電池セル５２は、プラスチックフレーム部材６６０の実質的に長方形のリング構造の外周壁６７０の第２側面６８２に対向して配置されている。電池セル５２は、ボディー部８２０、外周リップ部８２２、及び電気端子８２４，８２６を含む。外周リップ部８２２は、ボディー部８２０の周りに延びている。電気端子８２４は、外周リップ部８２２の第１末端から外側に延びており、ボディー部８２０内の能動素子に電気的に連絡されている。電気端子８２４は、さらに、それぞれの電池フレームアセンブリ４０，４２内に形成された隣接するチャネル５４０，７４０によって形成された開口を通して延びている。電気端子８２６は、外周リップ部８２２の第２末端から外側に延びており、ボディー部８２０内の能動素子に電気的に連絡されている。電気端子８２６は、さらに、それぞれの電池フレームアセンブリ４０，４２内に形成された隣接するチャネルによって形成された開口を通して延びている。電気端子８２４は、バスバー６６４に電気的に連絡されている。電気端子８２６は、電池セル５０の電気端子８１６に電気的に連絡されている。作動中には、電池セル５２は、電気端子８２４，８２６の間に電圧を形成する。また、作動中には、ボディー部８２０は、電池セル５２を冷却させるために、電池セル５２のボディー部８２０から熱エネルギーを抽出する熱伝導性プレート６６２に接触する。一つの例示的な実施例において、電池セル５２は、リチウムイオンパウチタイプの電池セルである。もちろん、更に他の実施例において、電池セル５２は、例えば、ニッケル金属水酸化物電池セルのような他のタイプの電池セルであってもよい。
【００６０】
電池アセンブリは、他の電池アセンブリに比べて相当な利点を提供する。具体的に、前記電池アセンブリは、熱伝導性プレート内の外周エッジを少なくとも部分的に取り囲むプラスチックフレーム部材を含んでいる電池フレームアセンブリを用いる。結果的に、他のアセンブリよりも容易に製造され、熱伝導性プレートに対向して位置した電池セルを効果的に冷却させる。
【００６１】
たとえ、本発明は、単に限定された数の実施例との関係において具体的に記述されたが、本発明が、上記に表現された実施例にのみ制限されるものではないという点は自明である。また、本発明は、ここに記載されていないが、本発明の思想と範囲に相応する変形、改造、置換、または均等の配列を組み合わせて改良することができる。さらに、本発明の様々な実施例が記載されている反面、本発明の様相は、単に一部の記載された実施例を含んでいるものに過ぎないと理解しなければならない。したがって、本発明は前述した説明によって制限されてはならない。
【産業上の利用可能性】
【００６２】
本発明に係る電池アセンブリは、熱伝導性プレート内の外周エッジを少なくとも部分的に取り囲むプラスチックフレーム部材を含んでいる電池フレームアセンブリを用いることによって、他のアセンブリよりも容易に製造され、熱伝導性プレートに対向して位置した電池セルを効率的に冷却させるという効果がある。
【符号の説明】
【００６３】
１０  電池アセンブリ
２０  電池フレームアセンブリ
２２  電池フレームアセンブリ
３０  電池セル
３２  電池セル
４０  電池フレームアセンブリ
４２  電池フレームアセンブリ
５０  電池セル
５２  電池セル
６０  プラスチックフレーム部材
６２  熱伝導性プレート
７０  外周壁
７２  クロス部材
８４  第１壁部
８６  第２壁部
８８  第３壁部
９０  第４壁部
１００  第１チャネル
１２０  第２チャネル
１５０  クロス部材
１５２  クロス部材
１５４  クロス部材
１５６  クロス部材
１５８  クロス部材
１９０  露出部
１９１  露出部
１９２  露出部
１９３  露出部
１９４  露出部
１９５  露出部
２６０  プラスチックフレーム部材
２６２  熱伝導性プレート
２７０  外周壁
２７２  クロス部材
２８４  第１壁部
２８６  第２壁部
２８８  第３壁部
２９０  第４壁部
３００  第１チャネル
３２０  第２チャネル
３５０  クロス部材
３５２  クロス部材
３５４  クロス部材
３５６  クロス部材
３５８  クロス部材
３９０  露出部
３９１  露出部
３９２  露出部
３９３  露出部
３９４  露出部
３９５  露出部
４６０  プラスチックフレーム部材
４６２  熱伝導性プレート
４７０  外周壁
４７２  クロス部材
４８４  第１壁部
４８６  第２壁部
４８８  第３壁部
４９０  第４壁部
５００  第１チャネル
５２０  第２チャネル
５５０  クロス部材
５５２  クロス部材
５５４  クロス部材
５５６  クロス部材
５５８  クロス部材
５９０  露出部
５９１  露出部
５９２  露出部
５９３  露出部
５９４  露出部
５９５  露出部
６６０  プラスチックフレーム部材
６６２  熱伝導性プレート
６７０  外周壁
６７２  クロス部材
６８４  第１壁部
６８６  第２壁部
６８８  第３壁部
６９０  第４壁部
７００  第１チャネル
７２０  第２チャネル
７５０  クロス部材
７５２  クロス部材
７５４  クロス部材
７５６  クロス部材
７５８  クロス部材
７９０  露出部
７９１  露出部
７９２  露出部
７９３  露出部
７９４  露出部
７９５  露出部
【図１】
2016526758.tif 000003
【図２】
2016526758.tif 000004
【図３】
2016526758.tif 000005
【図４】
2016526758.tif 000006
【図５】
2016526758.tif 000007
【図６】
2016526758.tif 000008
【図７】
2016526758.tif 000009
【図８】
2016526758.tif 000010
【図９】
2016526758.tif 000011
【図１０】
2016526758.tif 000012
【図１１】
2016526758.tif 000013
【図１２】
2016526758.tif 000014
【図１３】
2016526758.tif 000015
【図１４】
2016526758.tif 000016
【図１５】
2016526758.tif 000017
【図１６】
2016526758.tif 000018
【図１７】
2016526758.tif 000019
【図１８】
2016526758.tif 000020
【図１９】
2016526758.tif 000021
【図２０】
2016526758.tif 000022
【図２１】
2016526758.tif 000023
【図２２】
2016526758.tif 000024
【図２３】
2016526758.tif 000025
【図２４】
2016526758.tif 000026
【図２５】
2016526758.tif 000027
【図２６】
2016526758.tif 000028
【図２７】
2016526758.tif 000029
【図２８】
2016526758.tif 000030
【図２９】
2016526758.tif 000031
【図３０】
2016526758.tif 000032
【国際調査報告】
2016526758.tif 000033
2016526758.tif 000034
2016526758.tif 000035
2016526758.tif 000036